(57)【要約】【課題】少ない構成部品によってキーコードのリセットおよび変更が可能で、しかも各部材の取り付けスペースを最小限に抑える。【解決手段】シリンダ錠１の内筒６に挿入したキーＫのキーコードに応じて位置が変化する一対のタンブラー７、８と、内筒６の回動位置に応じて径方向に移動可能とした開閉用サイドバー９およびコード変換用サイドバー１０とを備え、上記一対のタンブラー７、８は、中央にキー孔５を有する第１タンブラー７と、一端側に開閉用サイドバー９を係合する少なくとも１個の開閉用サイドバー溝３１、他端側にコード変換用サイドバー１０を係合する複数個のコード変換用サイドバー溝３２ａ、３２ｂ、３２ｃそれぞれを有して成る第２タンブラー８とを互いに回転可能に組み合せて成る。【選択図】図１
2008101392.tif 000002
【特許請求の範囲】
【請求項１】
内周面に長手方向に沿ってサイドバー用の係合凹部が形成された外筒と、キー孔と交差するタンブラー孔が長手方向に複数設けられ、かつタンブラー孔と連通するサイドバー用のスリットが外周面に複数設けられた内筒とを備え、
前記内筒のサイドバー用のスリットには前記外筒方向にバネ付勢力された開閉用サイドバー及びコード変換用サイドバーが挿入され、
前記内筒タンブラー孔には第１タンブラーと第２タンブラーが挿入され、
前記第１タンブラーは、中央にキー孔を有し、
前記第２タンブラーは、一端側に開閉用サイドバーを係合させる少なくとも１個の開閉用サイドバー溝、他端側にコード変換用サイドバーを係合させる複数個のコード変換用サイドバー溝それぞれを有し、前記第１タンブラーと第２タンブラーとは互いに回動可能に連結して成ることを特徴とする可変コード型シリンダ錠。
【請求項２】
前記第２タンブラーは通常使用時はコード変換用サイドバーを軸に回動し、
コード変換時には開閉用サイドバーを軸に回動することを特徴とする請求項１記載の可変コード型シリンダ錠。
【請求項３】
コード変換時には変換前に使用したキーを挿入し、内筒をコード変換位置まで回転させて、コード変換用サイドバーの係合を解除し、第１タンブラーの上下スライドを可能にした上で新たに変換したいキーを挿入して新しいキーの溝（コード）に合致するよう第１タンブラーを上下にスライドさせることにより、第２タンブラーは開閉用サイドバーを軸に回動し、新しいキー溝に対応する前記第２タンブラーのコード変換用サイドバー溝へのコード変換用サイドバーの係合を可能にしたことを特徴とする請求項１または２記載の可変式コード型シリンダ錠。
【請求項４】
第１タンブラーの一端面には、キー挿入孔を囲繞するようにして嵌合突起が形成され、第２タンブラーの中央に開穿した嵌合孔に当該嵌合突起が嵌合されることで、第１タンブラーおよび第２タンブラーが互いに回動可能に連結してなる請求項１乃至３のいずれかに記載の可変コード型シリンダ錠。
【請求項５】
第２タンブラーは、その周囲一端側に単一の開閉用サイドバー溝を形成し、これに対応して反対側には３つのコード変換用サイドバー溝を形成してある請求項１乃至４のいずれかに記載の可変コード型シリンダ錠。
【請求項６】
内筒の最後部にある後部タンブラー孔に挿入されるキー確認タンブラーを備え、当該キー確認タンブラーは、後部タンブラー孔の一側内壁面に形成された段部に対応してバネ支持突起が突設され、段部とバネ支持突起との間に介挿されたバネによって、キー確認タンブラーの端部に設けられた係合突起が、外筒ケースの内壁に形成された回動阻止用凹部に係入する方向に付勢され、内筒のキー孔にキーが完全に挿入されていないときには、係合突起が回動阻止用凹部に係入されて内筒の回動を阻止するものとした請求項１乃至５のいずれかに記載の可変コード型シリンダ錠。
【請求項７】
外筒ケースの内周面には、長手方向に沿って単一の係合凹部が形成され、内筒の回転によって、開閉用サイドバーまたはコード変換用サイドバーが上記係合凹部にバネ付勢力を介して係合可能とした請求項１乃至６のいずれかに記載の可変コード型シリンダ錠。
【請求項８】
内筒の後端部に形成された縦穴内部にバネを介して挿入され、カム軸に挿入されることで内筒とカム軸とを一体化して回転させるものとした上下スライド可能なリセットタンブラーと、該リセットタンブラーを押し下げ操作するよう上下スライド可能としたリセットレバーとを備え、該リセットレバーの下方向へのスライド操作により、リセットタンブラーをバネの弾性力に抗して縦穴内部に押し下げて、カム軸の一端に形成されたリセット係合部内に嵌合されることにより当該カム軸を回転不能に固定できるようにした請求項１乃至７のいずれかに記載の可変コード型シリンダ錠。
【発明の詳細な説明】
【技術分野】
【０００１】
本発明は、施錠または開錠できるキーを変更することができるようにした可変コード型シリンダ錠に関する。
【背景技術】
【０００２】
近年、ゲームセンター等での遊技機の第三者による不正な操作を防止するために、店側が遊技機を容易に管理することができるよう、各店専用コードの１つのキーで、それぞれの遊技機に設けられたシリンダ錠を施錠または開錠（解錠）できることが要求される。
【０００３】
しかし、シリンダ錠のキーを紛失したり、不正に合鍵を作成された場合、または、不正に開錠される恐れが生じた場合等においては、別のコードのシリンダ錠に取り替えなければならなかった。この場合、シリンダ錠を新たに多数準備すると、多額の費用がかかると共に、シリンダ錠の取替え作業にも手間と時間がかかってしまうものであった。そこで、従来では、第三者による不正な操作を防止するために所定のキーコードに変更可能とした種々のシリンダ錠が用いられている。
【０００４】
従来のこの種のシリンダ錠としては、特許文献１に開示されているように、厚さ寸法の大きい扉に取り付け可能とした可変コード型シリンダ錠が存在する。
すなわち、これは、筒状のケースの後端部に、扉の後面に取り付けられる筒状のベースを接続し、上記ケースに回動可能に挿入され前面に開口するキー孔に交叉する複数のタンブラ孔を有するプラグと上記ベースに回動可能に挿入されるジョイントプラグとをジョイントプレートで連結してる。そして、上記ジョイントプラグに挿入されるリセットタンブラを外周面より突出する方向に付勢し、上記ベースと上記ジョイントプラグの間に挿入されるジョイントカムに、上記リセットタンブラの先端が係入するリセット係合部を設け、上記ベースに上記リセットタンブラと上記リセット係合部との係合を解除するリセットボタンを設けている。また、上記タンブラ孔に、上記リセットタンブラと上記リセット係合部が解除され且つキーの挿入により上記プラグが所定角度に回動したときにキーコードの変更が可能になるタンブラを挿入している。
【０００５】
また、従来のこの種のシリンダ錠としては、特許文献２に開示されているように、施錠または開錠できるキーを自由に変更可能としたシリンダ錠も存在する。
すなわち、シリンダ錠をリセットする場合、リセットボタンを押下した状態でキーを回動させるのであるが、シリンダを開錠する場合と同様に、外周シリンダの凹部とサイドバーの凸部との嵌合が解除され、内周シリンダが外周シリンダに対して回動する。この場合、シリンダを開錠するときと異なり、リセットボタンがジョイントカムに嵌合しているため、ジョイントカムは、外周シリンダに固定されて回動せず、この状態からリセットボタンを押下して、キーを１８０°回動させた状態においては、内周シリンダの回動に伴って、開閉プレート、タンブラプレート、およびサイドバーも回動し、サイドバーは、サイドバー前後移動用バネにより下方向に付勢される。
【０００６】
さらに、ジョイントカムは、一端の端部に対して、他方の端部の方が下方向に突出するように構成されており、ジョイントカムの端部に、上側の端部を当接させながら回動するサイドバーは、サイドバー前後移動用バネとジョイントカム端部により下方向に付勢され、サイドバー全体が下方向に移動する。その結果、サイドバーの下側の端部が、外周シリンダの凹部に嵌合する。
【０００７】
このとき、サイドバーのタンブラプレート用孔に嵌合しているタンブラプレートもサイドバーの移動に伴って下方向に移動し、タンブラプレートの面は、開閉プレートの面から離れ、係合ピンと、係合穴との係合が解除される。この状態で、キーをシリンダ錠から引き抜くとリセットが完了する。
【０００８】
次に、シリンダ錠のキーコードを、新しいキーに対応するキーコードに変更する場合、キーをシリンダ錠から引き抜いた後、新しいキーをシリンダ錠に挿入し、当該キーを回動させる。このとき、当該キーが挿入されたことにより、開閉プレートがキーの所定の位置決め面に当接することによって下方向に移動する。開閉プレートは、係合穴の最も下側の穴の位置が、タンブラプレートの係合ピンの位置と一致する状態となるまで下方向に移動し、この状態でキーを反時計回り（時計回りでもよい）に回動させることによりシリンダ錠のキーコードは変更される。このとき、サイドバーは外周シリンダの凹部の形状に従って上方向に緩やかに押圧され、内周シリンダ（キー）の回動に伴って上方向に移動する。これにより、サイドバーの移動に伴って、開閉プレートとタンブラプレートが係合する。
【０００９】
また、リセット用バネの付勢力によってリセットボタンが上方向に戻り、再び内周シリンダとジョイントカムがジョイントブロックを介して固定される。このとき、キーが挿入されたことで、タンブラプレートの凹部の上下方向の位置がサイドバーの凸部の上下方向の位置に一致するように位置決めされる。
【００１０】
すなわち、シリンダ錠のキーコードが、新しいキーに対応するキーコードに変更されている。そして、サイドバーは、サイドバー左右移動用バネにより左方向に付勢されるため、外周シリンダの凹部とサイドバーの凸部が嵌合し、サイドバーは左方向に移動する。これにより、サイドバーの凸部とタンブラプレートの凹部の嵌合が解除される。この状態で、キーをシリンダ錠から引き抜くと、キーコードの変更が完了する。タンブラプレートは、キーの位置決め面に基づいて、その凹部の上下方向の位置がサイドバーの凸部の上下方向の位置に一致するように位置決めされているので、キーコードの変更が完了した後、シリンダ錠は、キー以外のキーでは開錠できないようになる。このようにしてシリンダ錠のキーコードが変更されるものとしている。
【特許文献１】特開平９−２３５９２１号公報
【特許文献２】特許２００５−２３２８００号公報
【発明の開示】
【発明が解決しようとする課題】
【００１１】
しかしながら、上記したような従来のキーコードの変更可能なシリンダ錠では、シリンダ錠を構成する構成部品の数が多く、そのためコストが高くなってしまうものであった。
特に、特許文献２においては、一方の端部が開閉プレートに当接し、他方の端部がバネカバーに当接するように開閉プレート用バネが設けられているのに加えて、サイドバーは、サイドバー左右移動用バネにより左方向に付勢され、外周シリンダの凹部とサイドバーの凸部が嵌合して左方向に移動することにより、サイドバーの凸部とタンブラプレートの凹部の嵌合が解除されてキーコードの変更が行われる構成としてあるため、構成が複雑となり且つ部品点数も多くなる。
さらに、従来のシリンダ錠では、ケースが径方向に突出するため、大型化してしまい、大きな取り付けスペースが必要になってしまうという問題点を有していた。
【００１２】
そこで、本発明は、叙上のような従来存した諸事情に鑑み案出されたもので、少ない構成部品によってキーコードのリセットおよび変更が可能で、しかも各部材の取り付けスペースを最小限に抑えることのできる構成とした可変コード型シリンダ錠を提供することを目的とする。
【課題を解決するための手段】
【００１３】
上述した課題を解決するため、本発明にあっては、内周面に長手方向に沿ってサイドバー用の係合凹部が形成された外筒と、キー孔と交差するタンブラー孔が長手方向に複数設けられ、かつタンブラー孔と連通するサイドバー用のスリットが外周面に複数設けられた内筒とを備え、
前記内筒のサイドバー用のスリットには前記外筒方向にバネ付勢力された開閉用サイドバー及びコード変換用サイドバーが挿入され、
前記内筒タンブラー孔には第１タンブラーと第２タンブラーが挿入され、
前記第１タンブラーは、中央にキー孔を有し、
前記第２タンブラーは、一端側に開閉用サイドバーを係合させる少なくとも１個の開閉用サイドバー溝、他端側にコード変換用サイドバーを係合させる複数個のコード変換用サイドバー溝それぞれを有し、前記第１タンブラーと第２タンブラーとは互いに回動可能に連結して成ることを特徴とする。
【００１４】
また、前記第２タンブラーは通常使用時はコード変換用サイドバーを軸に回動し、
コード変換時には開閉用サイドバーを軸に回動することを特徴とする。
【００１５】
さらに、コード変換時には変換前に使用したキーを挿入し、内筒をコード変換位置まで回転させて、コード変換用サイドバーの係合を解除し、第１タンブラーの上下スライドを可能にした上で新たに変換したいキーを挿入して新しいキーの溝（コード）に合致するよう第１タンブラーを上下にスライドさせることにより、第２タンブラーは開閉用サイドバーを軸に回動し、新しいキー溝に対応する前記第２タンブラーのコード変換用サイドバー溝へのコード変換用サイドバーの係合を可能にしたことを特徴とする。
【００１６】
第１タンブラーの一端面には、キー挿入孔を囲繞するようにして嵌合突起が形成され、第２タンブラーの中央に開穿した嵌合孔に当該嵌合突起が嵌合されることで、第１タンブラーおよび第２タンブラーが互いに回動可能に連結してなる。
【００１７】
第２タンブラーは、その周囲一端側に単一の開閉用サイドバー溝を形成し、これに対応して反対側には３つのコード変換用サイドバー溝を形成してある。
【００１８】
内筒の最後部にある後部タンブラー孔に挿入されるキー確認タンブラーを備え、当該キー確認タンブラーは、後部タンブラー孔の一側内壁面に形成された段部に対応してバネ支持突起が突設され、段部とバネ支持突起との間に介挿されたバネによって、キー確認タンブラーの端部に設けられた係合突起が、外筒ケースの内壁に形成された回動阻止用凹部に係入する方向に付勢され、内筒のキー孔にキーが完全に挿入されていないときには、係合突起が回動阻止用凹部に係入されて内筒の回動を阻止するものとなっている。
【００１９】
外筒ケースの内周面には、長手方向に沿って単一の係合凹部が形成され、内筒の回転によって、開閉用サイドバーまたはコード変換用サイドバーが上記係合凹部にバネ付勢力を介して係合可能としたものである。
【００２０】
内筒の後端部に形成された縦穴内部にバネを介して挿入され、カム軸に挿入されることで内筒とカム軸とを一体化して回転させるものとした上下スライド可能なリセットタンブラーと、該リセットタンブラーを押し下げ操作するよう上下スライド可能としたリセットレバーとを備え、該リセットレバーの下方向へのスライド操作により、リセットタンブラーをバネの弾性力に抗して縦穴内部に押し下げて、カム軸の一端に形成されたリセット係合部内に嵌合されることにより当該カム軸を回転不能に固定できるようにしたものである。
【発明の効果】
【００２１】
本発明によれば、少ない構成部品によってキーコードのリセットおよび変更が可能であり、しかも各部材の取り付けスペースを最小限に抑えることのできる構成とすることができる。
【００２２】
すなわち、本発明に係るタンブラーは、中央にキー孔を有する第１タンブラーと、一端側に開閉用サイドバーを係合させる少なくとも１個の開閉用サイドバー溝、他端側にコード変換用サイドバーを係合させる複数個のコード変換用サイドバー溝それぞれを有して成る第２タンブラーとから成り、前記第２タンブラーは通常使用時はコード変換用サイドバーを軸に回動し、コード変換時には開閉用サイドバーを軸に回動し、前記第２タンブラーのいずれかのコード変換用サイドバー溝へのコード変換用サイドバーの係合を変更可能としたからであり、これによって、少ない構成部品でキーコードのリセットおよび変更が容易に行えるようになった。
【００２３】
また、第１タンブラーの一端面には、キー挿入孔を囲繞するようにして嵌合突起が形成され、第２タンブラーの中央に開穿した嵌合孔に当該嵌合突起が嵌合されることで、第１タンブラーおよび第２タンブラーが互いに回動可能に連結したので、第１タンブラーおよび第２タンブラー相互の組立一体化が容易であり、しかも相互間の位置ズレが確実に防止されるものとなる。
【００２４】
第２タンブラーは、その周囲一端側に単一の開閉用サイドバー溝を形成し、これに対応して反対側には複数のコード変換用サイドバー溝を形成してあるので、複数の異なるキーに対応したキーコード変換が容易に行える。
【００２５】
内筒の最後部にある後部タンブラー孔に挿入されるキー確認タンブラーを備え、キー確認タンブラーは、後部タンブラー孔の一側内壁面に形成された段部に対応してバネ支持突起が突設され、段部とバネ支持突起との間に介挿されたバネによって、キー確認タンブラーの端部に設けられた係合突起が、外筒ケースの内壁に形成された回動阻止用凹部に係入する方向に付勢され、内筒のキー孔にキーが完全に挿入されていないときには、係合突起が回動阻止用凹部に係入されて内筒の回動を阻止するものとしたので、ピッキングやコード変換時の誤操作を防止することができる。
【００２６】
外筒ケースの内周面には、長手方向に沿って単一の係合凹部が凹設され、内筒の回転によって、開閉用サイドバーまたはコード変換用サイドバーがバネ付勢力を介して係合凹部に係合可能としたので、開閉用サイドバー溝あるいはコード変換用サイドバー溝と、外筒ケースの係合凹部とが内筒の左右のスリットを通して合致した状態では、外筒ケースに対する内筒自体の回転を簡単に許容することができ、また、開閉用サイドバー溝あるいはコード変換用サイドバー溝と、外筒ケースの係合凹部とが内筒の左右のスリットを通して合致しない状態では、外筒ケースに対する内筒自体の回転を確実に阻止することができる。しかも、キーコード変換を行わない状態においては、外筒ケースに対する内筒の不用意なる回転を未然に防止することができる。
【００２７】
内筒の後端部に形成された縦穴内部にバネを介して挿入され、カム軸に挿入されることで内筒とカム軸とを一体化して回転させるものとした上下スライド可能なリセットタンブラーと、該リセットタンブラーを押し下げ操作するよう上下スライド可能としたリセットレバーを含み、リセットレバーの下方向へのスライド操作により、リセットタンブラーをバネの弾性力に抗して縦穴内部に押し下げて、カム軸の一端に形成されたリセット係合部内に嵌合されることにより当該カム軸を回転不能に固定できるようにしたので、キーコードのリセットおよび変更がリセットレバーのワンタッチ操作でもって容易かつ簡便に行える。
【発明を実施するための最良の形態】
【００２８】
以下、図面を参照して本発明を実施するための最良の一形態を説明する。
図において示される符号１は、施錠または開錠できるキーＫを変更することができるよう、主に左右一対のサイドバー（後述する開閉用サイドバーおよびコード変換用サイドバー）を使用した可変コード型のシリンダ錠である。
【００２９】
シリンダ錠１は、図１に示すように、後部フランジ２の上下に設けられたネジ孔に挿通されるネジにより、該後部フランジ２が不図示の扉の裏面に取り付けられる外筒ケース３と、後部フランジ２側に被せられる裏板カバー４と、外筒ケース３内に挿入され、前面にキー孔５を有する回転可能な内筒６と、キー孔５と直角に交叉し両端が内筒６の外周面に開口する複数（本実施例では８つ）のタンブラー孔６ａ、６ｂ、…６ｈにそれぞれ挿入される第１タンブラー７および第２タンブラー８とを備えている。
【００３０】
また、シリンダ錠１には、内筒６の左右両サイドから第２タンブラー８側に向けて収容される開閉用サイドバー９およびコード変換用サイドバー１０と、内筒６の最後部に形成された後部タンブラー孔６ｉに挿入されるキー確認タンブラー１１と、内筒６の後端部に形成された縦穴１２内部にバネ１３を介して挿入されるリセットタンブラー１４と、内筒６の後端部に係合されるカム軸１５と、リセットタンブラー１４を押圧してカム軸１５を回転不能にするために裏板カバー４側に上下スライド可能に備えたリセットレバー１６とを備えている。
【００３１】
すなわち、図２または図３に示すように、シリンダ錠１の外筒ケース３の内側には、正規のキーＫが挿入された場合に、当該キーＫと共に回動する内筒６が設けられている。このキーＫのキー溝（コード）種類としては、例えば断面形状が略Ｈ型または略Ｓ型または略逆Ｓ型の３つが使用できる。内筒６が外筒ケース３内に配置された状態において、内筒６に設けられたキーＫが挿入されるキー孔５は、外筒ケース３正面から外部に露出する。また、外筒ケース３の後部には、既述したように、シリンダ錠１を固定するための取り付け用の後部フランジ２が設けられ、該後部フランジ２の上側および下側にそれぞれ、取り付け用のネジ等を貫通させる取り付け用孔２ａが設けられている。さらに、外筒ケース３の背面には裏板カバー４が嵌着されている。すなわち、裏板カバー４は、リセットレバー１６を押圧できるように外筒ケース３の背面からリセットレバー１６およびカム軸１５の一部が露出するように設けられている。このとき、カム軸１５は、裏板カバー４中央のカム孔４ａを貫通している。
【００３２】
第１タンブラー７は、図８に示すように、左右側面が平坦となった全体略長円形の金属製板材によって形成され、中央には内面にキー係合突起２１ａを備えたキー挿入孔２１が設けられている。また、キーＫの側面には、図１および図１６乃至図１９に示すように、キー係合突起２１ａに相対する位置にコード溝２２が長手方向に沿って設けられる。そして、第１タンブラー７の一端面には、キー挿入孔２１を囲繞するようにして環状の嵌合突起２３が形成され、第２タンブラー８の中央に開穿した円形状の嵌合孔２４に当該嵌合突起２３が嵌合されることで、図１０に示すように、第１タンブラー７および第２タンブラー８が互いに回動するように連結される。このように組み合わされた一対のタンブラー７、８それぞれを、図３および図１１に示すように、内筒６の外周面の８つのタンブラー孔６ａ、６ｂ、…６ｈに挿入している。
【００３３】
第２タンブラー８には、図９に示すように、その周囲一端側に円弧凹状の単一の開閉用サイドバー溝３１を形成し、これに対応して反対側には円弧凹状の３つのコード変換用サイドバー溝３２ａ、３２ｂ、３２ｃを形成してある。これら溝は全て第１タンブラー７左右側面の平坦部分から外部に露出している。中央のコード変換用サイドバー溝３２ｂは、サイドバー溝３１の１８０°反対側に、コード変換用サイドバー溝３２ａと３２ｃは、コード変換用サイドバー溝３２ｂの上下等間隔に隣接して設けられている。
【００３４】
そして、互いに組み合わされた両タンブラー７、８を、内筒６のタンブラー孔６ａ、６ｂ、…６ｈに挿入し、図１１に示すように、内筒６の左右側面に長手方向に沿って穿設されたスリット３３ａ、３３ｂそれぞれに対向配置させてから、図１２に示すように、第２タンブラー８の開閉用サイドバー溝３１に対応する内筒６のスリット３３ａに開閉用サイドバー９が収容され、第２タンブラー８のコード変換用サイドバー溝３２ａ、３２ｂ、３２ｃに対応する内筒６のスリット３３ｂにコード変換用サイドバー１０が収容される。このとき、両サイドバー９、１０は、内筒６のスリット３３ａ、３３ｂにバネ５１（図１参照）を介して外径方向に付勢された状態で収容されている。
【００３５】
すなわち、両サイドバー９、１０の両端に形成された支持孔９ａ、１０ａにバネ５１の一端が支持され、バネ５１の他端は内筒６の両端側面の支持孔（不図示）に支持されている。こうして内筒６を外筒ケース３内に収容した際には、図１３に示すように、外筒ケース３の内面に長手方向に沿って凹設した単一の係合凹部３ａに、前記した両サイドバー９、１０のいずれか一つがバネ５１の拡圧弾性力によって係合する。
【００３６】
両サイドバー９、１０の断面形状は、図１１乃至図１３に示すように、外筒ケース３の略三角形状の係合凹部３ａに対応して一側が略三角形状に形成され、第２タンブラー８の円弧凹状の両サイドバー溝３１、３２ａ、３２ｂ、３２ｃに対応して他側が円形状に形成されている。そして、図１４に示すように、外筒ケース３の係合凹部３ａに両サイドバー９、１０の断面略三角形状の一側が係合している状態から、内筒６の強制回転に伴い、バネ５１の弾性力に抗して両サイドバー９、１０自体が第２タンブラー８の円弧凹状の両サイドバー溝３１、３２ａ、３２ｂ、３２ｃ側に押圧退避され、当該サイドバー９、１０の断面円形状の他側が第２タンブラー８の前記両サイドバー溝３１、３２ａ、３２ｂ、３２ｃに嵌合して内筒６自体の以後の回転を許容する。
【００３７】
キー確認タンブラー１１は、図４に示すように、内筒６の最後部にある後部タンブラー孔６ｉに挿入されるものである。すなわち、当該後部タンブラー孔６ｉの左側内壁面に段部４１が形成され、後部タンブラー孔６ｉに挿入されるキー確認タンブラー１１は、左側面にバネ支持突起４２が突出し、段部４１とバネ支持突起４２との間にバネ４３が挿入され、キー確認タンブラー１１の端部に設けられた係合突起４４は、図５および図６に示すように、外筒ケース３の内壁に形成された回動阻止用凹部４５に係入する方向に付勢される。これにより、内筒６のキー孔５にキーＫが挿入されていないときには、係合突起４４が回動阻止用凹部４５に係入されているため内筒６は回動しない。
【００３８】
また、キー確認タンブラー１１には、キーＫの挿入を許容するキー挿入孔２１が設けられ、キー挿入孔２１の内面にキー係合突起２１ａが設けられる。キーＫのコード溝２２には、当該キーＫが完全挿入されたときにキー係合突起２１ａに相対する位置に完全挿入確認用コードが設けられる。そして、シリンダー錠１のキー孔５にキーＫが完全挿入されたときには、当該キーＫのコード溝２２でキー確認タンブラー１１を押し下げて、キー確認タンブラー１１の係合突起４４が外筒ケース３の回動阻止用凹部４５から脱して内筒６内側に没入するため、内筒６は回動可能となる。
【００３９】
リセットタンブラー１４は、図２または図３に示すように、内筒６の後端部に形成された縦穴１２内部にバネ１３を介して挿入され、カム軸１５の前方開口側に挿入されることで、通常は内筒６とカム軸１５が一体化して回転する。また、裏板カバー４側に上下スライド可能に備えたリセットレバー１６の下方向へのスライド移動により、該リセットレバー１６下端にあるＬ字状の係止片部１６ａがリセットタンブラー１４をバネ１３の弾性力に抗して縦穴１２内部に押し下げられ、当該係止片部１６ａはカム軸１５の一端に形成された凹溝状のリセット係合部１５ａ内に嵌合されるものとなり、これによりカム軸１５は回転不能に固定され、内筒６のみが回転可能な状態となる。したがって、内筒６はコード変換位置まで１８０度回転させることができる。
【００４０】
尚、本形態においては、第１タンブラー７と第２タンブラー８との２つを使用しているが、本発明はこれに限定されず、例えば、４枚のタンブラーを使用しても良い。また、本形態においては、第２タンブラー８の周面一端に一つの開閉用サイドバー溝３１、これと反対側の周面他端に３つのコード変換用サイドバー溝３２ａ、３２ｂ、３２ｃそれぞれを形成しているが、本発明はこれに限定されず、例えば、第２タンブラー８の全周にサイドバー溝を有していても良い。また、本発明では外筒ケースの内周面に単一の係合凹部３ａを形成し、開閉用サイドバー９とコード変換用サイドバー１０兼用となっているが、コード変換用サイドバー専用に係合凹部を設けても良い。
【００４１】
次に、以上のように構成された本可変コード型シリンダ錠１の最良の形態についての使用、組立、動作の一例について説明する。
シリンダ錠１の組立に際し、先ず、図１０に示すように、第１タンブラー７の嵌合突起２３を、第２タンブラー８の嵌合孔２４に嵌合して、両タンブラー７、８を互いに回動できるように連結する。このように組み合わされた両タンブラー７、８を、図２に示すように、内筒６外周面の８つのタンブラー孔６ａ、６ｂ、…６ｈにそれぞれ挿入する。また、内筒６の最後部にある後部タンブラー孔６ｉにはキー確認タンブラー１１が挿入される。さらに、内筒６の後端部に形成された縦穴１２内部にバネ１３を介してリセットタンブラー１４が挿入され、カム軸１５の前方開口側に挿入される。
【００４２】
そして、図１、図１１および図１２に示すように、第２タンブラー８の開閉用サイドバー溝３１に対応する内筒６の一方のスリット３３ａに開閉用サイドバー９を収容し、第２タンブラー８のコード変換用サイドバー溝３２ａ、３２ｂ、３２ｃに対応する内筒６の他方のスリット３３ｂにコード変換用サイドバー１０を収容してから、内筒６を外筒ケース３内に収容する。このとき、図１３および図１５に示すように、外筒ケース３内面の係合凹部３ａに両サイドバー９、１０のいずれか一つがバネ５１の拡圧弾性力によって係合するように配置される。また、図２に示すように、カム軸１５のリセット係合部１５ａに対向してリセットレバー１６が設置されてから、外筒ケース３の背面に裏板カバー４が嵌着される。そして、後部フランジ２の上下に設けられたネジ孔２ａに挿通されるネジにより、該後部フランジ２が扉（不図示）の裏面に取り付けられる。
【００４３】
次に、本可変型シリンダ錠１の各種（コードの異なる）キーＫの挿入による施錠・開錠の動作について図６および図１４（ａ）乃至図１４（ｅ）に基づき説明する。
図６に示すように、キー孔５に断面略Ｈ型の正規のキーＫが挿入されると、当該キーＫのコード溝２２でキー確認タンブラー１１を押し下げて、キー確認タンブラー１１の係合突起４４が外筒ケース３の回動阻止用凹部４５から脱して内筒６内側に没入し、内筒６自体はカム軸１５と一体化して回転可能となる。
【００４４】
このとき、第２タンブラー８の開閉用サイドバー溝３１は、図１２および図１４（ｂ）に示すように、内筒６の左側のスリット３３ａと合致されているため、図１４（ｃ）に示すように、外筒ケース３内面の係合凹部３ａに係合されている開閉用サイドバー９が内筒６のスリット３３ａを通して第２タンブラー８の開閉用サイドバー溝３１に係入されて、内筒６自体が回転可能となることで正規のキーＫによるシリンダ錠１の施錠・開錠が可能となる。そして、この状態においてはコード変換用サイドバー１０は、第２タンブラー８の中央のコード変換用サイドバー溝３２ｂに係合されており、第２タンブラー８自体は、内筒６の中央に配置されている。
【００４５】
ところで、キー孔５に断面略Ｓ型の正規ではないキーＫ２が挿入されると、図１４（ｄ）に示すように、第２タンブラー８は、内筒６の下方側に移動され、第２タンブラー８の開閉用サイドバー溝３１も、内筒６の左側のスリット３３ａより下方にスライドするため、開閉用サイドバー９が内筒６のスリット３３ａを通して第２タンブラー８の開閉用サイドバー溝３１に係入されないため、当該内筒６自体は回転不能の状態となってキーＫ２による施錠・開錠が不可能となる。そして、この状態においてはコード変換用サイドバー１０は、第２タンブラー８の中央のコード変換用サイドバー溝３２ｂに係合される。
【００４６】
さらに、キー孔５に断面略逆Ｓ型の正規ではないキーＫ３が挿入されると、図１４（ｅ）に示すように、第２タンブラー８は、内筒６の上方側に移動され、第２タンブラー８の開閉用サイドバー溝３１も、内筒６の左側のスリット３３ａより上方にスライドするため、開閉用サイドバー９が内筒６のスリット３３ａを通して第２タンブラー８の開閉用サイドバー溝３１に係入されないため、当該内筒６自体は回転不能の状態となってキーＫ３による施錠・開錠が不可能となる。そして、この状態においてはコード変換用サイドバー１０は、第２タンブラー８の中央のコード変換用サイドバー溝３２ｂに係合される。こうして、断面Ｈ型の正規のキーＫのみによってシリンダ錠１の施錠・開錠が可能となる。
【００４７】
次に、本可変型シリンダ錠の各種（コードの異なる）キーＫの挿入によるコード変換方法について図１５（ａ）乃至図１５（ｇ）、図１６乃至図２０に基づき説明する。
先ず、内筒６内は、図１５（ａ）に示すように、コード変換用サイドバー１０が第２タンブラー８の中央のコード変換用サイドバー溝３２ｂに係合されており、第２タンブラー８の開閉用サイドバー溝３１は、内筒６の左側のスリット３３ａと合致していない。つまり、開閉用サイドバー９はスリット３３ａを通して第２タンブラー８の開閉用サイドバー溝３１に係合できないため、内筒６は回転不可能な状態である。
【００４８】
そこで、図１５（ｂ）に示すように、キー孔５に第１のキーとして断面略Ｈ型のキーＫを挿入すると第１タンブラー７のキー係合突起２１ａがキーＫのキー溝２２に誘導されて第１タンブラー７自体が上方にスライドし、第２タンブラー８も連動して上方にスライドしながら、同時にコード変換用サイドバー１０を軸に回動するため、開閉用サイドバー溝３１が内筒６の左側のスリット３３ａと合致し、開閉用サイドバー９はスリット３３ａを通して第２タンブラー８の開閉用サイドバー溝３１と係合可能となる。つまり、内筒６は回転可能な状態になる。
【００４９】
同時に、図６（ａ）、（ｂ）、（ｃ）に示すように、当該キーＫのコード溝２２でキー確認タンブラー１１を押し下げて、キー確認タンブラー１１の係合突起４４が外筒ケース３の回動阻止用凹部４５から脱して内筒６内側に没入し、内筒６自体は回動可能となる。
【００５０】
このとき、図１９（ａ）に示すように、リセットレバー１６を下方向へスライド降下させ、当該リセットレバー１６の下端にあるＬ字状の係止片部１６ａによりリセットタンブラー１４をバネ１３の弾性力に抗して縦穴１２内部に押し下げることで、当該係止片部１６ａをカム軸１５のリセット係合部１５ａ内に嵌合させる。これによりカム軸１５は回転不能に固定され、内筒６のみがコード変換位置まで１８０度回転可能な状態となる。
尚、図１９（ａ）は同図（ｂ）に示すように、後述する断面略逆Ｓ型のキーＫを用いた場合の例であるが、リセットレバー１６の作用自体は断面略Ｈ型にキーＫを用いた場合と変わりはない。
【００５１】
この状態、つまりリセットレバー１６を下方向へスライド降下させながら、キーＫにより内筒６を１８０度回転させると、図１５（ｃ）に示すように、開閉用サイドバー９とコード変換用サイドバー１０との位置が左右逆となり、外筒ケース３内周の係合凹部３ａにコード変換用サイドバー１０が係入されるために、第１タンブラー７および第２タンブラー８が上下スライド可能となり、キーＫを抜脱することができる。図１５（ｄ）
【００５２】
次に、図１５（ｅ）に示すように、第２のキー断面略Ｓ型のキーＫ２をキー孔５に挿入すると、内筒６内で第１タンブラー７のキー係合突起２１ａがキーＫ２のキー溝２２に誘導されて第１タンブラー７自体が上方にスライドし、第２タンブラー８も連動して上方にスライドしながら、同時に開閉用サイドバー９を軸に回動するため、コード変換用サイドバー溝３２ａが内筒６のスリット３３ｂと合致し、コード変換用サイドバー１０はスリット３３ｂを通して第２タンブラー８のコード変換用サイドバー溝３２ａと係合可能となる。つまり、内筒６が回転可能な状態になる（図１５（ｆ）参照）。
【００５３】
そこで、キーＫ２を反時計方向（時計方向でも可）へ１８０度回転させると、図１５（ｇ）に示すように、開閉用サイドバー９とコード変換用サイドバー１０との位置が左右逆となり（元の位置に戻り）、外筒ケース３内周の係合凹部３ａに開閉用サイドバー９が係入されるために、第１タンブラー７および第２タンブラー８が上下スライド可能となり、キーＫ２を抜脱することができる。
【００５４】
このとき、図１８（ａ）に示すように、内筒６の縦穴１２内部に押し下げられていたリセットタンブラー１４がバネ１３の弾性力により押し上げられ、カム軸１５のリセット係合部１５ａに嵌合、同時にリセットレバー１６の係止片部１６ａも押し上げるため、当該係止片部１６ａとカム軸１５のリセット係合部１５ａの嵌合が解除され、カム軸１５と内筒６が連結して回転可能となる。
【００５５】
かくして、図２１（ａ）および（ｂ）に示すように、コード変換用サイドバー１０と第２タンブラー８のコード変換用タンブラー溝３２ｂとの係合位置が、隣設するコード変換用タンブラー溝３２ａに変換されコード変換が完了する。つまり、図１４（ｂ）乃至（ｄ）に示すようにコード変換用サイドバー１０が第２タンブラー８のコード変換用溝３２ｂと係合しているときは断面略Ｈ型のキーＫのみで施錠・開錠が可能であったが、コード変換用サイドバー１０を第２タンブラー８のコード変換用サイドバー溝３２ａと係合するように変換することで断面略Ｈ型のキーＫによる施錠・開錠を不可能にし、断面略Ｓ型のキーＫ２のみで施錠・開錠が可能になる。
【００５６】
さらに、第２のキーＫ２（断面略Ｓ型）から、第３のキーとして断面略逆Ｓ型のキーＫ３によるコード変換方法についても同様に、先ず、第２のキーＫ２を挿入して、リセットレバー１６を下方向へスライド降下させながら、当該キーＫ２により内筒６を１８０度回転させて、開閉用サイドバー９とコード変換用サイドバー１０の位置を左右逆転させてキーＫ２を抜脱し、次に図２０に示すように、第３のキーＫ３を挿入すると第１および第２のタンブラー７と８が連動して下方にスライドしながら、同時に開閉用サイドバー９を軸に第２タンブラー８が回動し、コード変換用サイドバー溝３２ｃが内筒６のスリット３３ｂと合致する。
つまり、コード変換用サイドバー１０がコード変換用サイドバー溝３３ｃに係合されるため内筒６が回転可能な状態になる。
【００５７】
そして、そのまま、キーＫ３を反時計方向へ１８０度回転させると、開閉用サイドバー９とコード変換用サイドバー１０との位置が逆転し、元の位置に戻り、外筒ケース３内周の係合凹部３ａに開閉用サイドバー９が係入されるため、第１および第２タンブラー７、８がスライド可能となり、キーＫ３を抜脱することができる。尚、このとき、前記同様リセットレバー１６の係止片部１６ａとカム軸１５のリセット係合部１５ａの係合が解除されることは勿論である。
【００５８】
かくして、図２１（ｂ）および（ｃ）に示すようにコード変換用サイドバー１０と第２タンブラー８のコード変換用タンブラー溝３２ａとの係合位置が、反対側のコード変換用タンブラー溝３２ｃに変換されコード変換が完了する。尚、キーの種類は上記したＫ乃至Ｋ３に限られるものではなく、その他のコード溝２２を備えた各種キーを採用し得ることは勿論である。
【図面の簡単な説明】
【００５９】
【図１】本発明を実施するための最良の形態における可変コード型シリンダ錠の一例を示す分解斜視図である。
【図２】同じく可変コード型シリンダ錠の分解断面図である。
【図３】同じく可変コード型シリンダ錠の組み付け状態を示す断面図である。
【図４】同じく内筒にキー確認タンブラーおよびカム軸を組み付けた状態を示すもので、（ａ）は断面図、（ｂ）は（ａ）のＸ−Ｘ’断面図である。
【図５】同じく外筒ケースの一例を示し、（ａ）は背面図、（ｂ）は（ａ）のＹ−Ｙ’断面図である。
【図６】同じく外筒ケースの外筒に対するキー確認タンブラーの動作を説明するもので、（ａ）はキー挿入前の状態を示す説明図、（ｂ）はキー挿入後の状態を示す説明図、（ｃ）は挿入されたキーの回転状態を示す説明図である。
【図７】同じく裏板カバーとカム軸の取付け状態を示し、（ａ）は裏板カバーの正面図、（ｂ）はカム軸の裏面図、（ｃ）はカム軸の側断面図、（ｄ）は裏面カバーに対するカム軸の取付け状態の裏面図、（ｅ）は外筒ケースの後部フランジにカム軸付裏板カバーを取付けた状態の裏面図、（ｆ）はカム軸を回転させた状態の同裏面図である。
【図８】同じく第１タンブラーの一例を示し、（ａ）は平面図、（ｂ）は正面図である。
【図９】同じく第２タンブラーの一例を示し、（ａ）は平面図、（ｂ）は正面図である。
【図１０】同じく第１タンブラー、第２タンブラーの組み付け状態を示し、（ａ）は平面図、（ｂ）は正面図である。
【図１１】同じく第１タンブラー、第２タンブラーそれぞれを内筒に装着した状態を示す正面図である。
【図１２】同じく開閉用サイドバー、コード変換用サイドバーそれぞれを内筒に組み付けた状態を示す正面図である。
【図１３】同じく外筒ケースの外筒内に内筒等を組み込んだ状態を示す断面図である。
【図１４】同じくキーによる施開錠の動作を説明するもので、（ａ）乃至（ｃ）は正規のキーによって開閉方向に回転される内筒の状態を示す断面図、（ｄ）および（ｅ）は正規とは異なるキーを使用した場合に内筒が回転阻止されている状態を示す断面図である。
【図１５】同じく（ａ）乃至（ｇ）はコード変換動作を説明する断面図である。
【図１６】第１のキーによる開閉用サイドバー、コード変換用サイドバーそれぞれの動作を説明するもので、（ａ）は断面図、（ｂ）は（ａ）のＡ−Ａ’断面図である。
【図１７】同じく第２のキーによる開閉用サイドバー、コード変換用サイドバーそれぞれの動作を説明するもので、（ａ）は断面図、（ｂ）は（ａ）のＢ−Ｂ’断面図である。
【図１８】同じく第３のキーによる開閉用サイドバー、コード変換用サイドバーそれぞれの動作を説明するもので、（ａ）は断面図、（ｂ）は（ａ）のＣ−Ｃ’断面図である。
【図１９】同じくリセット時の開閉用サイドバー、コード変換用サイドバーそれぞれの動作を説明するもので、（ａ）は断面図、（ｂ）は（ａ）のＤ−Ｄ’断面図である。
【図２０】同じくリセット後の開閉用サイドバー、コード変換用サイドバーそれぞれの状態を示し、（ａ）は断面図、（ｂ）は（ａ）のＥ−Ｅ’断面図である図である。
【図２１】同じくそれぞれのコードに設置したタンブラーに合致したキー溝を備えたキーを挿入した状態を示すもので、（ａ）は第１のキーを挿入した状態の断面図、（ｂ）は第２のキーを挿入した状態の断面図、（ｃ）は第３のキーを挿入した状態の断面図をそれぞれ示す。
【符号の説明】
【００６０】
Ｋ                      第１のキー
Ｋ２                    第２のキー
Ｋ３                    第３のキー
１                      シリンダ錠
２                      後部フランジ
２ａ                    ネジ孔
３                      外筒ケース
３ａ                    係合凹部
４                      裏板カバー
４ａ                    カム孔
５                      キー孔
６                      内筒
６ａ、６ｂ、…６ｈ      タンブラー孔
６ｉ                    後部タンブラー孔
７                      第１タンブラー
８                      第２タンブラー
９                      開閉用サイドバー
１０                    コード変換用サイドバー
１１                    キー確認タンブラー
１２                    縦穴
１３                    バネ
１４                    リセットタンブラー
１５                    カム軸
１５ａ                  リセット係合部
１６                    リセットレバー
２１                    キー挿入孔
２１ａ                  キー係合突起
２２                    コード溝
２３                    嵌合突起
２４                    嵌合孔
３１                    開閉用サイドバー溝
３２ａ、３２ｂ、３２ｃ  コード変換用サイドバー溝
３３ａ、３３ｂ          スリット
【図１】
2008101392.tif 000003
【図２】
2008101392.tif 000004
【図３】
2008101392.tif 000005
【図４】
2008101392.tif 000006
【図５】
2008101392.tif 000007
【図６】
2008101392.tif 000008
【図７】
2008101392.tif 000009
【図８】
2008101392.tif 000010
【図９】
2008101392.tif 000011
【図１０】
2008101392.tif 000012
【図１１】
2008101392.tif 000013
【図１２】
2008101392.tif 000014
【図１３】
2008101392.tif 000015
【図１４】
2008101392.tif 000016
【図１５】
2008101392.tif 000017
【図１６】
2008101392.tif 000018
【図１７】
2008101392.tif 000019
【図１８】
2008101392.tif 000020
【図１９】
2008101392.tif 000021
【図２０】
2008101392.tif 000022
【図２１】
2008101392.tif 000023